(57)【要約】      （修正有）【課題】使用時においても不使用時においても梯子に備え付けられた状態で嵩が高くなることなく、梯子を立て掛ける足場が狭い場合や平坦でない場合にも安定した状態で使用することができ、安全性に優れた梯子転倒防止具を提供する。【解決手段】梯子の支柱の上部に、取り付け位置を調節自在とすると共に、梯子に回動自在として取り付けられた支持体１を、梯子の使用時に略水平方向に張り出せるようにする。支柱に長さ方向に摺動自在とした掛桟２を取り付け、この掛桟２の両端部２ａに、支持体１の両基端部１ａを重ね合わせ、これらの両端部２ａおよび両基端部１ａをノブ付き軸ネジ３で支柱に螺着する。【選択図】図１
0003172456.tif 000002
【実用新案登録請求の範囲】
【請求項１】
梯子（Ｌ）の支柱（Ｐ）の上部に、取り付け位置を調節自在とすると共に、梯子（Ｌ）に回動自在として取り付けられた支持体（１）を、梯子（Ｌ）の使用時に略水平方向に張り出せるようにしたことを特徴とする梯子転倒防止具。
【請求項２】
前記支柱（Ｐ）に長さ方向に摺動自在とした掛桟（２）を取り付け、この掛桟（２）の両端部（２ａ）に、前記支持体（１）の両基端部（１ａ）を重ね合わせ、これらの両端部（２ａ）および両基端部（１ａ）をノブ付き軸ネジ（３）で前記支柱（Ｐ）に螺着したことを特徴とする請求項１記載の梯子転倒防止具。
【請求項３】
前記支持体（１）の両基端部（１ａ）にネジ孔（４）を形成し、前記掛桟（２）の両端部（２ａ）に通孔（６）を形成したものとし、前記支持体（１）のネジ孔（４）に前記ノブ付き軸ネジ（３）を捩じ込み、前記通孔（６）に通してこの軸ネジ（３）の先端（３ａ）を前記支柱（Ｐ）の外側面（Ｐａ）に押し当てることにより、これら支持体（１）および掛桟（２）を支柱（Ｐ）に螺着したことを特徴とする請求項２記載の梯子転倒防止具。
【請求項４】
前記支持体（１）の両基端部（１ａ）の近傍に停止桟（８）を掛け渡し、前記支持体（１）を回動させて略水平方向に張り出すと、この停止桟（８）の端面（８ａ）が前記支柱（Ｐ）の内面（Ｐｉ）に接触して、その略水平方向から上方向への回動を阻止するようにしたことを特徴とする請求項２または３記載の梯子転倒防止具。
【請求項５】
前記梯子（Ｌ）の支柱（Ｐ）と支持体（１）の成す角度（α）を約８０〜９０°にしたことを特徴とする請求項１〜４の何れかに記載の梯子転倒防止具。
【請求項６】
前記支持体（１）に梯子（Ｌ）の設置物の設置面との緩衝材（９）を取り付けたことを特徴とする請求項１〜５の何れかに記載の梯子転倒防止具。
【請求項７】
前記支持体（１）を前記支柱（Ｐ）に沿った状態に回動できるようにし、この状態で前記ノブ付き軸ネジ（３）を締め付けることにより、前記状態が保持されるようにしたことを特徴とする請求項２〜４の何れかに記載の梯子転倒防止具。
【考案の詳細な説明】
【技術分野】
【０００１】
本考案は、梯子の支柱に備え付けられ、その梯子の使用時の転倒を防止する梯子転倒防止具に関する。
【背景技術】
【０００２】
従来、梯子の使用にあたって、その転倒を防止するために、梯子の支柱の下部に備え付けるようにした転倒防止具が存在する。
【０００３】
このような梯子転倒防止具としては、梯子の一対の支柱の下部において、それぞれ真横（側面方向）に開脚し、下端が地面に接地するようにした補助脚を有したものとしたり（特許文献１）、梯子の一対の支柱の下部に取り付けた前記のような補助脚を有したものであって、不使用時には梯子の支柱に沿って畳んでおくことができ、使用時には梯子の支柱の真横（側面方向）に開脚できるようにしたものとしている（特許文献２）。
【０００４】
さらに、このような梯子転倒防止具としては、梯子の一対の支柱の下部において、手前（正面方向）に開脚自在とし、下端が地面に接地するようにした補助脚を有したものであって、不使用時には梯子の支柱に沿って畳んでおくことができ、使用時には梯子の支柱の手前（正面方向）に開脚できるようにしたものとしている（特許文献３）。
【先行技術文献】
【特許文献】
【０００５】
【特許文献１】特開２００６−６３７７５号公報
【特許文献２】実開平３ー９５４９９号公報
【特許文献３】特開２００５−１３９８１２号公報
【考案の概要】
【考案が解決しようとする課題】
【０００６】
しかしながら、上記従来の梯子転倒防止具は、梯子の一対の支柱の下部において、それぞれ真横（側面方向）あるいは手前（正面方向）に開脚するので、使用時においては嵩が高くなり、梯子を立て掛けるには広い足場が必要となるので、梯子を立て掛ける足場が狭い場合には、使用し難いという問題点を有していた。
【０００７】
さらに、上記従来の梯子転倒防止具は、梯子を立て掛ける足場が狭い場合や平坦でない場合には、補助脚をその足場にしっかりと止めておくことができず、不安定となり、安全性に欠けるという問題点を有していた。
【０００８】
そこで、本考案は、使用時においても不使用時においても梯子に備え付けられた状態で嵩が高くなることなく、梯子を立て掛ける足場が狭い場合や平坦でない場合にも安定した状態で使用することができ、安全性に優れた梯子転倒防止具を提供することを目的としてなされたものである。
【課題を解決するための手段】
【０００９】
本考案の梯子転倒防止具は、梯子Ｌの支柱Ｐの上部に、取り付け位置を調節自在とすると共に、梯子Ｌに回動自在として取り付けられた支持体１を、梯子Ｌの使用時に略水平方向に張り出せるようにしている。
【００１０】
そして、本考案の梯子転倒防止具は、前記支柱Ｐに長さ方向に摺動自在とした掛桟２を取り付け、この掛桟２の両端部２ａに、前記支持体１の両基端部１ａを重ね合わせ、これらの両端部２ａおよび両基端部１ａをノブ付き軸ネジ３で前記支柱Ｐに螺着したものとしている。
【００１１】
さらに、本考案の梯子転倒防止具は、前記支持体１の両基端部１ａにネジ孔４を形成し、前記掛桟２の両端部２ａに通孔６を形成したものとし、前記支持体１のネジ孔４に前記ノブ付き軸ネジ３を捩じ込み、前記通孔６に通してこの軸ネジ３の先端３ａを前記支柱Ｐの外側面Ｐａに押し当てることにより、これら支持体１および掛桟２を支柱Ｐに螺着したものとしている。
【００１２】
また、本考案の梯子転倒防止具は、前記支持体１の両基端部１ａの近傍に停止桟８を掛け渡し、前記支持体１を回動させて略水平方向に張り出すと、この停止桟８の端面８ａが前記支柱Ｐの内面Ｐｉに接触して、その略水平方向から上方向への回動を阻止するようにしている。
【００１３】
さらに、本考案の梯子転倒防止具は、前記梯子Ｌの支柱Ｐと支持体１の成す角度αを約８０〜９０°にしている。
【００１４】
また、本考案の梯子転倒防止具は、前記支持体１に梯子Ｌの設置物の設置面との緩衝材９を取り付けたものとしている。
【００１５】
さらに、本考案の梯子転倒防止具は、前記支持体１を前記支柱１ａに沿った状態に回動できるようにし、この状態で前記ノブ付き軸ネジ３を締め付けることにより、前記状態が保持されるようにしている。
【考案の効果】
【００１６】
本考案の梯子転倒防止具は、以上に述べたように構成されているので、使用時においても不使用時においても梯子に備え付けられた状態で嵩が高くなることなく、梯子を立て掛ける足場が狭い場合や平坦でない場合にも安定した状態で使用することができ、安全性に優れたものとなる。
【図面の簡単な説明】
【００１７】
【図１】本考案の梯子転倒防止具の実施形態を示す斜視図である。
【図２】本考案の梯子転倒防止具の実施形態を示す分解斜視図である。
【図３】本考案の梯子転倒防止具の実施形態を示す平面図である。
【図４】図３中のＡ−Ａによる断面図である。
【図５】図４中の円で囲んだ部分の拡大断面図である。
【図６】本考案の梯子転倒防止具を梯子の支柱に備え付けた状態を示す側面図である。
【図７】図６に示す状態の本考案の梯子転倒防止具の要部拡大説明図である。
【図８】本考案の梯子転倒防止具を備え付けた梯子の使用状態を示す側面図である。
【図９】図８の梯子の使用状態を示す正面図である。
【図１０】図８の梯子の使用状態を示す要部拡大説明図である。
【考案を実施するための形態】
【００１８】
以下、本考案の梯子転倒防止具を実施するための形態を、図面に基づいて詳細に説明する。
【００１９】
本考案の梯子転倒防止具は、梯子Ｌの一対の支柱Ｐ間の上部に、取り付け位置を調節自在とすると共に、梯子Ｌの背面側に回動自在として取り付けられた支持体１を、梯子Ｌの使用時に略水平方向に張り出せるようにしている（図８〜１０参照）。
【００２０】
前記梯子Ｌは、一対の支柱Ｐ間に上から下まで複数の横桟Ｓが設けられており、本考案の梯子転倒防止具が取り付けられた位置より上段の横桟Ｓは、支柱Ｐの前後に食み出さないようにしており、梯子Ｌの昇降時の持ち手としており、本考案の梯子転倒防止具が取り付けられた位置より下段の横桟Ｓは、幅を広くして前記支柱Ｐの前方に食み出すようにし、さらにシリコンゴムやウレタンゴムなどからなる滑り止め部材などを取り付けており、梯子Ｌの昇降時の踏み段としている。このようにすることにより、横桟Ｓは、手で持ち易いものとなったり、足を掛け易いものとなる。
【００２１】
前記支柱Ｐには、この支柱Ｐの長さ方向に摺動して取り付け位置を調節自在とした掛桟２を取り付け、この掛桟２の両端部２ａに、前記支持体１の両基端部１ａを重ね合わせ、これらの両端部２ａおよび両基端部１ａをノブ付き軸ネジ３で前記支柱Ｐに螺着したものとしている。
【００２２】
前記支持体１は、両基端部１ａにネジ孔４を形成し、両回動端部１ｂの上部間に連結桟５を掛け渡したものとしている。前記掛桟２の両端部２ａは、支柱Ｐを取り囲むようにした枠部としており、通孔６を形成したものとしている。そして、前記支持体１のネジ孔４に、ワッシャー７を介して前記ノブ付き軸ネジ３を捩じ込み、前記通孔６に通してこの軸ネジ３の先端３ａを前記支柱Ｐの外側面Ｐａに押し当てることにより、これら支持体１および掛桟２を支柱Ｐに螺着したものとしている。なお、前記支持体１のネジ孔４を通孔６とし、掛桟２の通孔６をネジ孔４として実施することもできる。
【００２３】
さらに、前記支持体１の両基端部１ａの上部間の近傍には、停止桟８を掛け渡し、前記支持体１を回動させて略水平方向に張り出すと、この停止桟８の端面８ａが前記支柱Ｐの内面Ｐｉに接触して（図１０参照）、その略水平方向から上方向への回動を阻止するようにしている。ここで略水平方向とは、梯子Ｌを設置物に立て掛けたときの状態を言い、梯子Ｌの支柱Ｐと支持体１の成す角度αが約８０〜９０°であれば略水平方向となる。なお、前記角度αを９０°にするには、停止桟８の端面８ａと掛桟２の内面２ｂとを面一にすればよく、前記角度αを９０°より小さくするには、停止桟８の端面８ａと掛桟２の内面２ｂとを面一にした状態から、停止桟８の端面８ａと掛桟２の内面２ｂとの間隔ｄを徐々に広げて行けばよい（図５参照）。
【００２４】
また、前記支持体１は、梯子Ｌの設置物の設置面との緩衝材９を取り付けたものとしている。この緩衝材９は、ウレタンゴム等の弾力性と柔軟性を有するものとしており、支持体１が設置物の設置面に当たったときに騒音が発生しないようにしたり、支持体１がその設置面に設置したときに滑らないようにしている。
【００２５】
さらに、前記支持体１は、梯子Ｌを使用しないときは、前記ノブ付き軸ネジ３を緩めることにより、前記支柱１ａに沿った状態に回動できるようにしている。そして、この状態で前記ノブ付き軸ネジ３を締め付けることにより、前記状態が保持されるようにしている（図６、７参照）。このようにするには、ノブ付き軸ネジ３のノブを片手で摘んで操作すればよいので、簡単に前記状態にすることができる。このようにすることにより、本考案の梯子転倒防止具は、梯子Ｌに備え付けたままでも、保管時や運搬時に嵩の低いものとなり、保管や運搬がし易いものとなる。
【００２６】
以上のように構成した本考案の梯子転倒防止具を備え付けた梯子Ｌを、駅のホームなどの設置物Ｍに立て掛けるには、次のようにして行う。
【００２７】
先ず、本考案の梯子転倒防止具は、梯子Ｌに備え付けて保管されていた状態から、ノブ付き軸ネジ３を緩め、立て掛ける設置物Ｍの高さに合わせて、支持体１の梯子Ｌとの取り付け位置を調節すると共に、この支持体１を略水平方向に張り出させ、前記ノブ付き軸ネジ３を締める。この場合、ノブ付き軸ネジ３を緩めたり、締めたりする操作はノブを片手で摘んで行えるので、支持体１を張り出させる操作を片方の手で行いながら、もう片方の手で前記ノブ付き軸ネジ３を緩めたり、締めたりする操作を行うことができる。
【００２８】
そして、このようにした本考案の梯子転倒防止具を備え付けた梯子Ｌを、図８、９に示したように、駅のホームなどの設置物Ｍに立て掛け、その設置物Ｍの設置面Ｍｐに、略水平方向に張り出させた支持体１が添うようにする。
【００２９】
すると、この支持体１によって、前記設置物Ｍに立て掛けた梯子Ｌは、その設置面Ｍｐに支えられ、梯子Ｌを立て掛けた方向にずれたり、横方向にずれたりすることなく、安定した状態となって、駅のホームから線路内へ降り易くなったり、線路内から駅のホームに昇り易いものとなる。なお、線路内は狭いうえに平坦ではないので、梯子Ｌの足場がとりにくかったり、梯子Ｌの支柱Ｐの下端が線路内にしっかりと支えられなくなったりするが、前記支持体１によって、前記設置物Ｍに立て掛けた梯子Ｌは、その設置面Ｍｐにしっかりと支えられることになる。
【００３０】
したがって、本考案の梯子転倒防止具は、使用時においても不使用時においても梯子に備え付けられた状態で嵩が高くなることなく、梯子を立て掛ける足場が狭い場合や平坦でない場合にも安定した状態で使用することができ、安全性に優れたものとなる。
【符号の説明】
【００３１】
１  支持体
１ａ  基端部
２  掛桟
２ａ  端部
３  ノブ付き軸ネジ
３ａ  先端
４  ネジ孔
６  通孔
８  停止桟
８ａ  端面
Ｌ  梯子
Ｐ  支柱
Ｐａ  外側面
Ｐｉ  内面
α  角度
【図１】
0003172456.tif 000003
【図２】
0003172456.tif 000004
【図３】
0003172456.tif 000005
【図４】
0003172456.tif 000006
【図５】
0003172456.tif 000007
【図６】
0003172456.tif 000008
【図７】
0003172456.tif 000009
【図８】
0003172456.tif 000010
【図９】
0003172456.tif 000011
【図１０】
0003172456.tif 000012
【手続補正書】
【提出日】平成23年10月14日(2011.10.14)
【手続補正１】
【補正対象書類名】実用新案登録請求の範囲
【補正対象項目名】全文
【補正方法】変更
【補正の内容】
【実用新案登録請求の範囲】
【請求項１】
梯子（Ｌ）の支柱（Ｐ）の上部に、取り付け位置を調節自在とすると共に、梯子（Ｌ）に回動自在として取り付けられた支持体（１）を、梯子（Ｌ）の使用時に略水平方向に張り出せるようにした梯子転倒防止具であって、前記支柱（Ｐ）に長さ方向に摺動自在とした掛桟（２）を取り付け、この掛桟（２）の両端部（２ａ）に、前記支持体（１）の両基端部（１ａ）を重ね合わせ、前記支持体（１）の両基端部（１ａ）にネジ孔（４）を形成し、前記掛桟（２）の両端部（２ａ）に通孔（６）を形成したものとし、前記支持体（１）のネジ孔（４）にノブ付き軸ネジ（３）を捩じ込み、前記通孔（６）に通してこの軸ネジ（３）の先端（３ａ）を前記支柱（Ｐ）の外側面（Ｐａ）に押し当て、前記支持体（１）の両基端部（１ａ）の近傍に停止桟（８）を掛け渡し、前記支持体（１）を回動させて略水平方向に張り出すと、この停止桟（８）の端面（８ａ）が前記支柱（Ｐ）の内面（Ｐｉ）に接触して、その略水平方向から上方向への回動を阻止するようにしたことを特徴とする梯子転倒防止具。
【請求項２】
前記梯子（Ｌ）の支柱（Ｐ）と支持体（１）の成す角度（α）を約８０〜９０°にしたことを特徴とする請求項１記載の梯子転倒防止具。
【請求項３】
前記支持体（１）に梯子（Ｌ）の設置物の設置面との緩衝材（９）を取り付けたことを特徴とする請求項１記載の梯子転倒防止具。
【請求項４】
前記支持体（１）を前記支柱（Ｐ）に沿った状態に回動できるようにし、この状態で前記ノブ付き軸ネジ（３）を締め付けることにより、前記状態が保持されるようにしたことを特徴とする請求項１記載の梯子転倒防止具。